(57)【要約】【課題】従来、絶縁トロリー線に発生する磨耗粉を除去するための磨耗粉除去装置として、清掃ブラシを使用する方法や、絶縁カバーの壁部（ガイド壁）に上下貫通スリットを設ける方法が知られているが、これらの方法では、磨耗粉が周囲に飛び散り、周囲を汚すという問題があった。【課題を解決するための手段】本発明に係わる絶縁トロリー線の磨耗粉除去装置は、絶縁トロリー線の摺動面に対向して配置され摺動面に沿って移動する吸引ノズルと、該吸引ノズルに接続された吸引機とを備えたものであり、絶縁トロリー線の摺動面付近に付着した磨耗粉を、周囲に飛散させることなく吸引ノズルを介して吸引機で容易に吸引することができる。【選択図】  図１
2006218905.tif 000002
【特許請求の範囲】
【請求項１】
絶縁トロリー線の摺動面に対向して配置され摺動面に沿って移動する吸引ノズルと、該吸引ノズルに接続された吸引機とを備えていることを特徴とする絶縁トロリー線の磨耗粉除去装置。
【請求項２】
吸引ノズルの進行方向前後には、摺動面と接触して回転するローラーが配置されていることを特徴とする請求項１記載の絶縁トロリー線の磨耗粉除去装置。
【請求項３】
吸引ノズルの進行方向前部には、摺動面と接触して移動する清掃ブラシが配置されていることを特徴とする請求項１記載の絶縁トロリー線の磨耗粉除去装置。
【発明の詳細な説明】
【技術分野】
【０００１】
本発明は、絶縁トロリー線の磨耗粉除去装置に関するものである。
【背景技術】
【０００２】
一般に絶縁トロリー線は、図４ないし図６に示すように、導体１０と該導体１０の上に被せられた絶縁カバー２０とから構成されている。導体１０の形状は種々のものがあり、例えば、図４に示したものは断面が略ハ字状もの、図５及び図６に示したものは断面が略８の字状のものである。また絶縁カバー２０は、導体１０の一部が長手方向に沿って露出するように形成されていると共にガイド壁２２が突設された構造となっている。露出した導体部分が摺動面３０となっている。図４及び図５に示した絶縁トロリー線は、通常、摺動面３０が下部を向く様に敷設されるが、図６に示した絶縁トロリー線は、通常、摺動面３０が側部を向く様に横向きで敷設される。
【０００３】
上記絶縁トロリー線は、導体が露出している摺動面３０を集電子４０が接触しながら走行するが、この集電子４０の走行に伴って、集電子４０が導体１０のみならず絶縁カバー２０にも接触するので、導体１０の磨耗粉の他に絶縁カバー２０の磨耗粉も発生する。
【０００４】
上記の磨耗粉は電気抵抗の増加や加熱事故等の原因になるので、定期的に除去する必要がある。
【０００５】
従来絶縁トロリー線の磨耗粉除去装置として、特許文献１に示すような、清掃ブラシを使用するものが知られている。また絶縁トロリー線を横向きに使用する際にカバーに付着する磨耗粉を除去する手段として、特許文献２に示すように、絶縁カバーの壁部（ガイド壁）に上下貫通スリットを設けることが知られている。
【０００６】
【特許文献１】特開平７−２９８４０４号公報
【特許文献２】特開２０００−３１３２５６号公報
【発明の開示】
【発明が解決しようとする課題】
【０００７】
しかしながら、清掃ブラシの使用や、絶縁カバーの壁部（ガイド壁）に上下貫通スリットを設ける構造では、磨耗粉が周囲に飛び散り、周囲を汚すという問題があった。特に、周囲に磨耗粉を嫌うような機械が存在する場合には、極力摩能粉が周囲に飛び散るのを防止する必要がある。
【課題を解決するための手段】
【０００８】
本発明は、上記問題点を解決した絶縁トロリー線の磨耗粉除去装置を提供するもので、請求項１記載の発明は、絶縁トロリー線の摺動面に対向して配置され摺動面に沿って移動する吸引ノズルと、該吸引ノズルに接続された吸引機とを備えていることを特徴とするものである。
【０００９】
また請求項２記載の発明は、吸引ノズルの進行方向前後には、摺動面と接触して回転するローラーが配置されていることを特徴とするものである。
【００１０】
更に請求項３記載の発明は、吸引ノズルの進行方向前部には、摺動面と接触して移動する清掃ブラシが配置されていることを特徴とするものである。
【発明の効果】
【００１１】
本発明は以下のような効果がある。
【００１２】
請求項１に係る絶縁トロリー線の磨耗粉除去装置のように、絶縁トロリー線の摺動面に対向して配置され摺動面に沿って移動する吸引ノズルと、該吸引ノズルに接続された吸引機とを備えることにより、磨耗粉を、周囲に飛散させることなく吸引ノズルを介して吸引機で容易に吸引することができる。
【００１３】
また請求項２に係る絶縁トロリー線の磨耗粉除去装置のように、吸引ノズルの進行方向前後に、摺動面と接触して回転するローラーを配置することにより、吸引ノズルの走行状態が安定し、吸引作業が容易になるという効果がある。
【００１４】
さらに請求項３に係る絶縁トロリー線の磨耗粉除去装置のように、吸引ノズルの進行方向前部に、摺動面と接触して移動する清掃ブラシを配置することにより、まず摺動面に付着している磨耗粉を清掃ブラシで除去し、しかる後に該除去した磨耗粉を吸引ノズルを介して吸引機で容易に吸引することができる。したがって磨耗粉除去作業を効率良く行うことができるという効果がある。
【発明を実施するための最良の形態】
【００１５】
以下、本発明を実施するための最良の形態実施につき、図を参照して詳細に説明する。
図１は本発明に係る絶縁トロリー線の磨耗粉除去装置の使用状態を示す説明図、図２は本発明で使用する吸引ノズルの取り付け状態を示すもので（イ）は正面図、（ロ）は側面図、図３は本発明の他の実施例を示す説明図である。
【００１６】
本発明に係る絶縁トロリー線の磨耗粉除去装置は、吸引ノズル７０と吸引機８０を備えている点に特徴がある。
【００１７】
吸引ノズル７０は、円筒を潰して略長方形にしたような形をしており、先端部と上部の周壁には吸気孔７１が設けられている。またその下部には、前記吸気孔７１と連通する孔７３を有する連結部材７５が取り付けられている。連結部材７５には、吸引機８０が接続されている。
【００１８】
また、上記構成の吸引ノズル７０は、走行部材９０に取り付けられている。走行部材９０は、前記吸引ノズル７０の前後に配置されたローラ９１と、該ローラ９１及び吸引ノズル７０を両側から挟みこれらを固定した側板９２と、該側板９２に一端側が取り付けられ、他端側が支持部材１００に取り付けられる連結部材９３とから構成されている。
【００１９】
なお、支持部材１００は、ばね付きアーム１０１と該ばね付きアーム１０１の基端側を連結した走行体連結材１０２とから構成されている。走行体連結材１０２は例えば天井クレーン等に接続するものである。
【００２０】
前記の走行部材９０は、連結部材９３をばね付きアーム１０１の先端側に取り付けると共に、吸引ノズル７０及びローラ９１を絶縁トロリー線の摺動面３０に配置して使用するものである。
【００２１】
このように、走行部材９０の連結部材９３をばね付きアーム１０１の先端側に取り付けると共に、吸引ノズル７０及びローラ９１を絶縁トロリー線の摺動面３０に配置した状態で、例えば天井クレーンを走行させると、この走行に伴って吸引ノズル７０及びローラ９１が絶縁トロリー線の摺動面３０に沿って走行する。この時、吸引機８０を稼動させておくことにより、絶縁トロリー線の摺動面３０付近に付着している磨耗粉を有効に吸引することができる。なお吸引機８０も、天井クレーン等と一緒に走行するものである。また絶縁トロリー線の摺動面３０に配置された吸引ノズル７０及びローラ９１は、ばね付きアーム１０１によって絶縁トロリー線の摺動面３０に押し付けられた状態になっているものである。
【００２２】
図３は、本発明の他の実施例を示すもので、前記実施例と異なる点は、１個のローラ９１を取り外し、該位置に清掃ブラシ１１０を取り付けたものである。この清掃ブラシ１１０は、吸引ノズルの進行方向前部に取り付けると共に摺動面と接触するように取り付けられている。なお、図３において図１と同一部分には同一符号を付して説明を諸略する。
【００２３】
このように、吸引ノズルの進行方向前部に、摺動面と接触して移動する清掃ブラシを配置すると、まず摺動面に付着している磨耗粉を清掃ブラシで除去し、しかる後に該除去した磨耗粉を吸引ノズルを介して吸引機で容易に吸引することができるという利点がある。
【００２４】
なお、本発明で使用する吸引ノズルの形状は特に限定するものではなく、絶縁トロリー線の摺動面付近に付着した磨耗粉を吸引できる構造であればよい。
【図面の簡単な説明】
【００２５】
【図１】本発明係る絶縁トロリー線の磨耗粉除去装置の使用状態を示す説明図、
【図２】本発明で使用する吸引ノズルの取り付け状態を示すもので、（イ）は正面図、（ロ）は側面図、
【図３】本発明の他の実施例を示す説明図、
【図４】絶縁トロリー線の一実施形態を示す断面図、
【図５】絶縁トロリー線の他の実施形態を示す断面図、
【図６】絶縁トロリー線の他の実施形態を示す斜視図。
【符号の説明】
【００２６】
１０      導体
２０      絶縁カバー
３０      摺動面
４０      集電子
７０      吸引ノズル
８０      吸引機
９０      走行部材
９１      ローラ
９２      側板
９３      連結部材
１００    支持部材
１０１    ばね付きアーム
１０２    走行体連結材
【図１】
2006218905.tif 000003
【図２】
2006218905.tif 000004
【図３】
2006218905.tif 000005
【図４】
2006218905.tif 000006
【図５】
2006218905.tif 000007
【図６】
2006218905.tif 000008